(57)【特許請求の範囲】
【請求項１】
水平方向及び垂直方向に配列された光電変換素子で構成される複数の画素上に、カラーフィルタが配設されてなる単板式のカラー撮像素子であって、
前記カラーフィルタの配列は、前記カラーフィルタがＮ×Ｎ（Ｎは偶数）画素に対応する配列パターンで配列されてなるサブ配列を含み、前記サブ配列を前記水平方向及び垂直方向のいずれか一方向に並べてなるサブ配列群が前記水平方向及び垂直方向の他方向に繰り返して配置されており、かつ前記他方向に互いに隣接する前記サブ配列群同士が前記一方向にＭ（ＭはＮ未満）画素間隔分ずらして配置され、
前記カラーフィルタは、１色以上の第１の色に対応する第１のフィルタと、輝度信号を得るための寄与率が前記第１の色よりも低い２色以上の第２の色に対応する第２のフィルタとを含み、さらに前記第１のフィルタに対応する第１の色の画素数の比率が、前記第２のフィルタに対応する第２の色の各色の画素数の比率よりも大きくなり、
前記第１のフィルタは、前記サブ配列の少なくとも対角線上に沿って配置され、
前記第２の色の各色に対応する前記第２のフィルタは、前記カラーフィルタの配列内で前記水平方向及び垂直方向に繰り返し配置されている基本配列パターン内であって、前記カラーフィルタの配列に含まれる任意の２Ｎ×２Ｎ画素に対応する基本配列パターン内に、前記カラーフィルタの配列の水平、垂直方向の各フィルタライン内に１以上配置され、
前記Ｍは、前記第１のフィルタが前記カラーフィルタの配列の水平、垂直、斜め右上及び斜め右下方向の各フィルタライン内に１つ以上配置される値に設定されているカラー撮像素子。
【請求項２】
前記基本配列パターンは、互いに隣接する前記サブ配列群にそれぞれ含まれる前記サブ配列をそれぞれ１以上含む請求項１記載のカラー撮像素子。
【請求項３】
前記Ｎは４以上の偶数であり、前記第１のフィルタが前記サブ配列の少なくとも２つの対角線上に沿って配置されている請求項１または２記載のカラー撮像素子。
【請求項４】
前記第２の色の各色の前記第２のフィルタは、前記サブ配列内で前記カラーフィルタの配列の水平及び垂直方向の各フィルタライン内に１以上配置されている請求項３記載のカラー撮像素子。
【請求項５】
前記カラーフィルタの配列は、前記第１のフィルタで構成される２×２画素に対応する正方配列を含む請求項３または４記載のカラー撮像素子。
【請求項６】
前記Ｎが２である場合に、前記第１のフィルタが前記サブ配列の一方の対角線上に沿って配置されている請求項１記載のカラー撮像素子。
【請求項７】
前記他方向に奇数番目に配置された前記サブ配列群に対して、前記他方向に偶数番目に配置された前記サブ配列群が同方向に前記Ｍ画素間隔分ずらして配置されている請求項１から６のいずれか１項に記載のカラー撮像素子。
【請求項８】
前記Ｎが１０以下である請求項１から７のいずれか１項に記載のカラー撮像素子。
【請求項９】
前記第１の色は緑色（Ｇ）であり、前記第２の色は赤色（Ｒ）及び青色（Ｂ）である請求項１から８のいずれか１項に記載のカラー撮像素子。
【請求項１０】
請求項１〜９のいずれか１項に記載のカラー撮像素子を備えた撮像装置。
【発明の詳細な説明】
【技術分野】
【０００１】
本発明はカラー撮像素子に係り、特に色モワレの発生の低減及び高解像度化が可能なカラー撮像素子に関する。
【背景技術】
【０００２】
単板式のカラー撮像素子では、各画素上にそれぞれ単色のカラーフィルタが設けられるので各画素が単色の色情報しか持たない。このため、単板カラー撮像素子の出力画像はＲＡＷ画像（モザイク画像）となるので、欠落している色の画素を、周囲の画素から補間する処理（デモザイキング処理）により多チャネル画像を得ている。この場合に問題となるのが、高周波の画像信号の再現特性であり、カラー撮像素子は白黒用の撮像素子と比較して、撮像した画像にエリアシングが発生し易いため、色モワレ（偽色）の発生を抑圧しつつ再現帯域を広げて高解像化するということが重要な課題である。【０００３】
デモザイキング処理とは、単板式のカラー撮像素子のカラーフィルタ配列に対応したモザイク画像から画素毎に全ての色情報を算出する処理であり、同時化処理ともいう。例えば、ＲＧＢ３色のカラーフィルタからなる撮像素子の場合、ＲＧＢからなるモザイク画像から画素毎にＲＧＢ全ての色情報を算出する処理である。【０００４】
単板カラー撮像素子で最も広く用いられているカラーフィルタの色配列である原色系ベイヤー配列は、緑（Ｇ）画素を市松状に、赤（Ｒ）、青（Ｂ）を線順次に配置しているため、Ｇ信号は斜め方向で、Ｒ、Ｂ信号は水平、垂直方向の高周波信号を生成する際の再現精度が問題である。【０００５】
図２７のＡ部分に示すような白黒の縦縞模様（高周波画像）が、図２７のＢ部分に示すベイヤー配列のカラーフィルタを有するカラー撮像素子に入射した場合、これをベイヤーの色配列に振り分けて色毎に比較すると、図２７のＣ部分からＥ部分に示すようにＲは薄い平坦、Ｂは濃い平坦、Ｇは濃淡のモザイク状の色画像となる。本来、白黒画像であるのに対し、ＲＧＢ間に濃度差（レベル差）は起きないものが、色配列と入力周波数によっては色が付いた状態となってしまう。【０００６】
同様に、図２８のＡ部分に示すような斜めの白黒の高周波画像が、図２８のＢ部分に示すベイヤー配列のカラーフィルタを有する撮像素子に入射した場合、これをベイヤーの色配列に振り分けて色毎に比較すると、図２８のＣ部分からＥ部分に示すようにＲとＢは薄い平坦、Ｇは濃い平坦の色画像となる。仮に黒の値を０、白の値を２５５とすると、斜めの白黒の高周波画像は、Ｇのみ２５５となるため、緑色になってしまう。このようにベイヤー配列では、斜めの高周波画像を正しく再現することができない。【０００７】
一般に単板式のカラー撮像素子を使用する撮像装置では、水晶などの複屈折物質からなる光学ローパスフィルタをカラー撮像素子の前面に配置し、高周波を光学的に落とすことで回避していた。しかし、この方法では、高周波信号の折り返りによる色付は軽減できるが、その弊害で解像度が落ちてしまうという問題がある。【０００８】
このような問題を解決するために、カラー撮像素子のカラーフィルタ配列を、任意の着目画素が着目画素の色を含む３色と着目画素の４辺のいずれかにおいて隣接する配列制限条件を満たす３色ランダム配列としたカラー撮像素子が提案されている（特許文献１）。【０００９】
また、分光感度が異なる複数のフィルタを有し、そのうち第１のフィルタと第２のフィルタが、画像センサの画素格子の一方の対角方向に第１の所定の周期で交互に配置されているとともに、他方の対角方向に第２の所定の周期で交互に配置されているカラーフィルタ配列の画像センサが提案されている（特許文献２）。【００１０】
更に、ＲＧＢの３原色のカラー固体撮像素子において、Ｒ、Ｇ、Ｂを水平に配置した３画素のセットを垂直方向にジグザグにずらしながら配置することによって、ＲＧＢそれぞれの出現確率を均等にし、かつ撮像面上の任意の直線（水平、垂直、斜めの直線）が全ての色を通過するようした色配列が提案されている（特許文献３）。【００１１】
更にまた、ＲＧＢの３原色のうちのＲ，Ｂを水平方向及び垂直方向にそれぞれ３画素置きに配置し、これらのＲ，Ｂの間にＧを配置したカラー撮像素子が提案されている（特許文献４）。
【先行技術文献】
【特許文献】
【００１２】
【特許文献１】特開２０００−３０８０８０号公報
【特許文献２】特開２００５−１３６７６６号公報
【特許文献３】特開平１１−２８５０１２号公報
【特許文献４】特開平８−２３５４３号公報
【発明の概要】
【発明が解決しようとする課題】
【００１３】
特許文献１に記載のカラー撮像素子は、フィルタ配列がランダムとなるため後段でのデモザイキング処理を行う際に、ランダムパターンごとに最適化する必要があり、デモザイキング処理が煩雑になるという問題がある。また、ランダム配列では、低周波の色モアレには有効であるが、高周波部の偽色に対しては有効でない。【００１４】
また、特許文献２に記載の画像センサは、Ｇ画素（輝度画素）が市松状に配置されているため、限界解像度領域（特に斜め方向）での画素再現精度が良くないという問題がある。【００１５】
特許文献３に記載のカラー固体撮像素子は、任意の直線上に全ての色のフィルタが存在するため、偽色の発生を抑えることができる利点があるが、ＲＧＢの画素数の比率が等しいため、高周波再現性がベイヤー配列に比べて低下するという問題がある。尚、ベイヤー配列の場合、輝度信号を得るために最も寄与するＧの画素数の比率が、Ｒ、Ｂそれぞれの画素数の２倍になっている。【００１６】
一方、特許文献４に記載のカラー撮像素子は、Ｒ、Ｂそれぞれの画素数に対するＧの画素数の比率がベイヤー配列よりも高いが、水平又は垂直方向にＧ画素のみのラインが存在するため、水平又は垂直方向に高周波部の偽色に対しては有効でない。【００１７】
本発明はこのような事情に鑑みてなされたもので、偽色の発生の抑圧及び高解像度化を図ることができるとともに、従来のランダム配列に比べて後段の処理を簡略化することができるカラー撮像素子を提供することを目的とする。
【課題を解決するための手段】
【００１８】
上記目的を達成するために本発明の一の態様に係る発明は、水平方向及び垂直方向に配列された光電変換素子で構成される複数の画素上に、カラーフィルタが配設されてなる単板式のカラー撮像素子であって、カラーフィルタの配列は、カラーフィルタがＮ×Ｎ（Ｎは偶数）画素に対応する配列パターンで配列されてなるサブ配列を含み、サブ配列を水平方向及び垂直方向のいずれか一方向に並べてなるサブ配列群が水平方向及び垂直方向の他方向に繰り返して配置されており、かつ他方向に互いに隣接するサブ配列群同士が一方向にＭ（ＭはＮ未満）画素間隔分ずらして配置され、カラーフィルタは、１色以上の第１の色に対応する第１のフィルタと、輝度信号を得るための寄与率が第１の色よりも低い２色以上の第２の色に対応する第２のフィルタとを含み、さらに第１のフィルタに対応する第１の色の画素数の比率が、第２のフィルタに対応する第２の色の各色の画素数の比率よりも大きくなり、第１のフィルタは、サブ配列の少なくとも対角線上に沿って配置され、第２の色の各色に対応する第２のフィルタは、カラーフィルタの配列内で水平方向及び垂直方向に繰り返し配置されている基本配列パターン内であって、カラーフィルタの配列に含まれる任意の２Ｎ×２Ｎ画素に対応する基本配列パターン内に、カラーフィルタの配列の水平、垂直方向の各フィルタライン内に１以上配置され、Ｍは、第１のフィルタがカラーフィルタの配列の水平、垂直、斜め右上及び斜め右下方向の各フィルタライン内に１つ以上配置される値に設定されている。【００１９】
本発明の一の態様に係る発明によれば、サブ配列を水平方向及び垂直方向のいずれか一方向に並べてなるサブ配列群を水平方向及び垂直方向の他方向に繰り返して配置するとともに、各サブ配列の少なくとも対角線上に輝度信号を得るための寄与率の高い第１のフィルタを配置して、さらに、第１のフィルタがカラーフィルタ配列の水平、垂直、斜め右上及び斜め右下方向の各フィルタライン内に１つ以上配置されるように、互いに隣接するサブ配列群同士をずらして配置したので、高周波領域でのデモザイキング処理の再現精度を向上させることができる。【００２０】
また、カラーフィルタ配列は、特定の基本配列パターンが水平方向及び垂直方向に繰り返して配置されているため、後段でのデモザイキング処理を行う際に、繰り返しパターンにしたがって処理を行うことができ、従来のランダム配列に比べて後段の処理を簡略化することができる。【００２１】
また、第１の色以外の２色以上の第２の色の各色に対応する第２のフィルタについても、基本配列パターン内においてカラーフィルタ配列の水平、及び垂直方向の各フィルタライン内に１つ以上配置するようにしたため、色モワレ（偽色）の発生を抑圧して高解像度化を図ることができる。【００２２】
また、第１のフィルタに対応する第１の色の画素数と第２のフィルタに対応する２色以上の第２の色の各色の画素数との比率を異ならせ、特に輝度信号を得るための寄与率が高い第１の色の画素数の比率を、第２のフィルタに対応する第２の色の各色の画素数の比率よりも大きくするようにしたため、エリアシングを抑制することができ高周波再現性もよい。【００２３】
さらに、基本配列パターンが２Ｎ×２Ｎ画素に対応する配列パターンで構成されるため、例えばカラー撮像素子がＣＭＯＳ（Complementary Metal Oxide Semiconductor）撮像素子である場合に、偶数個（例えば４個）の画素で１個のアンプ回路を共有させることもできる。【００２４】
本発明の他の態様に係るカラー撮像素子において、基本配列パターンは、互いに隣接するサブ配列群にそれぞれ含まれるサブ配列をそれぞれ１以上含むことが好ましい。後段でのデモザイキング処理を行う際に、繰り返しパターンにしたがって処理を行うことができ、従来のランダム配列に比べて後段の処理を簡略化することができる。【００２５】
本発明の他の態様に係るカラー撮像素子において、Ｎは４以上の偶数であり、第１のフィルタがサブ配列の少なくとも２つの対角線上に沿って配置されていることが好ましい。これにより、第１のフィルタが少なくともカラーフィルタ配列の水平、及び垂直方向の各フィルタライン内に１つ以上配置される。【００２６】
本発明のさらに他の態様に係るカラー撮像素子において、第２の色の各色の第２のフィルタは、サブ配列内でカラーフィルタの配列の水平、垂直方向の各フィルタライン内に１以上配置されていることが好ましい。これにより、基本配列パターン内においても２色以上の第２の色に対応する第２のフィルタがカラーフィルタの配列の水平、垂直方向の各フィルタライン内に１以上配置される。【００２７】
本発明のさらに他の態様に係るカラー撮像素子において、カラーフィルタの配列は、第１のフィルタで構成される２×２画素に対応する正方配列を含むことが好ましい。これにより、２×２画素の画素値を使用して、水平、垂直、斜め右上及び斜め右下方向のうちの相関の高い方向を判別することができる。【００２８】
本発明のさらに他の態様に係るカラー撮像素子において、Ｎが２である場合に、第１のフィルタがサブ配列の一方の対角線上に沿って配置されていることが好ましい。これにより、第１のフィルタがカラーフィルタの配列の水平、及び垂直方向の各フィルタライン内に１つ以上配置される。【００２９】
本発明のさらに他の態様に係るカラー撮像素子において、他方向に奇数番目に配置されたサブ配列群に対して、他方向に偶数番目に配置されたサブ配列群が同方向にＭ画素間隔分だけずれて配置されていることが好ましい。これにより、第１のフィルタがカラーフィルタの配列の水平、垂直、斜め右上及び斜め右下方向の各フィルタライン内に１つ以上配置される。【００３０】
本発明のさらに他の態様に係るカラー撮像素子において、Ｎが１０以下であることが好ましい。Ｎが１０を超える場合（Ｎ＞１０）には、デモザイキング等の信号処理が複雑化するのに対し、基本配列パターンのサイズを大きくすることによる格別な効果が得られないからである。【００３１】
本発明のさらに他の態様に係るカラー撮像素子において、第１の色は緑色（Ｇ）であり、第２の色は赤色（Ｒ）及び青色（Ｂ）であることが好ましい。なお、上記のカラー撮像素子を備えた撮像装置も本発明に含まれる。
【発明の効果】
【００３２】
本発明によれば、輝度信号を得るために寄与率の高い第１の色に対応する第１のフィルタを、カラーフィルタの配列の水平、垂直、斜め右上及び斜め右下方向の各フィルタライン内に１つ以上配置するとともに、第１のフィルタに対応する第１の色の画素数の比率を、第１の色以外の２色以上の第２の色の各色に対応する第２のフィルタの画素数の比率よりも大きくするようにしたため、高周波領域でのデモザイキング処理の再現精度を向上させ、かつエリアシングを抑制することができる。【００３３】
また、第１の色以外の２色以上の第２の色の各色に対応する第２のフィルタを、基本配列パターン内においてカラーフィルタの配列の水平、及び垂直方向の各フィルタライン内に１つ以上配置するようにしたため、色モワレ（偽色）の発生を抑圧して高解像度化を図ることができる。【００３４】
更に、本発明に係るカラーフィルタの配列は、特定の基本配列パターンが水平方向及び垂直方向に繰り返されているため、後段でのデモザイキング処理を行う際に、繰り返しパターンにしたがって処理を行うことができ、従来のランダム配列に比べて後段の処理を簡略化することができる。
【図面の簡単な説明】
【００３５】
【図１】本発明に係る単板式のカラー撮像素子を備えるデジタルカメラを示す図である。
【図２】本発明に係る単板式のカラー撮像素子の画素を示す図である。
【図３】本発明に係る単板式のカラー撮像素子の第１の実施形態を示す図である。
【図４】第１の実施形態のカラー撮像素子のカラーフィルタ配列に含まれる基本配列パターンを示す図である。
【図５】第１の実施形態のカラー撮像素子のカラーフィルタ配列に含まれる６×６画素の基本配列パターンを３×３画素のＡ配列とＢ配列に分割し、これらを配置した様子を示す図である。
【図６】第１の実施形態のカラー撮像素子のカラーフィルタ配列に含まれる２×２画素のＧ画素の画素値から相関方向を判別する方法を説明するために使用した図である。
【図７】カラー撮像素子のカラーフィルタ配列に含まれる基本配列パターンの概念を説明するために使用した図である。
【図８】本発明に係る単板式のカラー撮像素子の第２の実施形態を示す図である。
【図９】基本配列パターンを水平・垂直方向に繰り返して配置することにより、図８に示したカラーフィルタ配列が得られることを説明するための図である。
【図１０】図９に示した基本配列パターンとは異なる基本配列パターンを水平・垂直方向に繰り返して配置した場合でも、図８に示したカラーフィルタ配列が得られることを説明するための図である。
【図１１】互いに隣接するサブ配列群同士をずらして配置していない比較例のカラーフィルタ配列を示す図である。
【図１２】第２の実施形態のカラー撮像素子のカラーフィルタ配列ではＧフィルタが配置されていない斜め右上（ＮＥ）及び斜め右下（ＮＷ）方向のラインは生じないことを説明するために使用した図である。
【図１３】本発明に係る単板式のカラー撮像素子の第３の実施形態を示す図である。
【図１４】本発明に係る単板式のカラー撮像素子の第４の実施形態を示す図である。
【図１５】本発明に係る単板式のカラー撮像素子の第５の実施形態を示す図である。
【図１６】本発明に係る単板式のカラー撮像素子の第６の実施形態を示す図である。
【図１７】第６の実施形態のカラー撮像素子を間引き読み出し駆動したときのカラーフィルタ配列を説明するための説明図である。
【図１８】本発明に係る単板式のカラー撮像素子の第７の実施形態を示す図である。
【図１９】第７の実施形態のカラー撮像素子を間引き読み出し駆動したときのカラーフィルタ配列を説明するための説明図である。
【図２０】本発明に係る単板式のカラー撮像素子の第８の実施形態を示す図である。
【図２１】本発明に係る単板式のカラー撮像素子の第９の実施形態を示す図である。
【図２２】本発明に係る単板式のカラー撮像素子の第１０の実施形態を示す図である。
【図２３】本発明に係る単板式のカラー撮像素子の第１１の実施形態を示す図である。
【図２４】Ｒフィルタ（赤フィルタ）、Ｇ１フィルタ（第１の緑フィルタ）、Ｇ２フィルタ（第２の緑フィルタ）及びＢフィルタ（青フィルタ）が配置される受光素子の分光感度特性を示すグラフである。
【図２５】Ｒフィルタ、Ｇフィルタ、Ｂフィルタ及びＷフィルタ（透明フィルタ）が配置される受光素子の分光感度特性を示すグラフである。
【図２６】Ｒフィルタ、Ｇフィルタ、Ｂフィルタ及びエメラルドフィルタＥ（Ｅフィルタ）が配置される受光素子の分光感度特性を示すグラフである。
【図２７】従来のベイヤー配列のカラーフィルタを有するカラー撮像素子の課題を説明するために使用した図である。
【図２８】従来のベイヤー配列のカラーフィルタを有するカラー撮像素子の課題を説明するために使用した他の図である。
【発明を実施するための形態】
【００３６】
以下、添付図面に従って本発明の好ましい実施の形態について詳説する。
【００３７】
［カラー撮像装置の全体構成］
図１は本発明に係るカラー撮像素子を備えるデジタルカメラ９のブロック図である。デジタルカメラ９は、大別して、撮影光学系１０、カラー撮像素子１２、撮影処理部１４、画像処理部１６、駆動部１８、制御部２０などを備えている。
【００３８】
撮影光学系１０により被写体が撮像され、被写体像を示す光像がカラー撮像素子１２（第１の実施形態のカラー撮像素子）の受光面上に結像される。
【００３９】
カラー撮像素子１２は、その撮像面上に図２中水平方向及び垂直方向に配列（二次元配列）された光電変換素子で構成される複数の画素と、各画素の受光面の上方に配置された特定のカラーフィルタ配列のカラーフィルタとを備えた、いわゆる単板式のカラー撮像素子である。ここで、「上方」とは、カラー撮像素子１２の撮像面に対して被写体光が入射してくる側の方向を指す。
【００４０】
カラー撮像素子１２に結像された被写体像は、各画素の光電変換素子によって入射光量に応じた信号電荷に変換される。各光電変換素子に蓄積された信号電荷は、制御部２０の指令に従って駆動部１８から与えられる駆動パルスに基づいて信号電荷に応じた電圧信号（画像信号）としてカラー撮像素子１２から順次読み出される。カラー撮像素子１２から読み出される画像信号は、カラー撮像素子１２のカラーフィルタ配列に対応した赤（Ｒ）、緑（Ｇ）、青（Ｂ）のモザイク画像を示すＲ、Ｇ、Ｂ信号である。
【００４１】
カラー撮像素子１２から読み出された画像信号は、撮影処理部１４に入力する。撮影処理部１４は、画像信号に含まれるリセットノイズを除去するための相関二重サンプリング回路（ＣＤＳ）、画像信号を増幅し、一定レベルの大きさにコントロールするためのＡＧＣ回路、及びＡ／Ｄ変換器を有している。この撮影処理部１４は、入力する画像信号を相関二重サンプリング処理するとともに増幅した後、デジタルの画像信号に変換してなるＲＡＷデータを画像処理部１６に出力する。
【００４２】
画像処理部１６は、ホワイトバランス補正回路、ガンマ補正回路、デモザイキング処理回路（単板式のカラー撮像素子１２のカラーフィルタ配列に伴うＲＧＢのモザイク画像から画素毎にＲＧＢの全ての色情報を算出（同時式に変換）する処理回路）、輝度・色差信号生成回路、輪郭補正回路、色補正回路等を有している。画像処理部１６は、制御部２０からの指令に従い、撮影処理部１４から入力したモザイク画像のＲＡＷデータに所要の信号処理を施して、輝度データ（Ｙデータ）と色差データ（Ｃｒ，Ｃｂデータ）とからなる画像データ（ＹＵＶデータ）を生成する。
【００４３】
画像処理部１６で生成された画像データは、圧縮／伸張処理回路により静止画に対しては、ＪＰＥＧ規格に準拠した圧縮処理が施され、動画に対してはＭＰＥＧ２規格に準拠した圧縮処理が施された後、図示しない記録メディア（例えばメモリカード）に記録され、また、液晶モニタ等の表示手段（図示せず）に出力されて表示される。
【００４４】
［カラー撮像素子の第１の実施形態］
図２及び図３は本発明に係る単板式のカラー撮像素子の第１の実施形態を示す図であり、図２はカラー撮像素子１２に設けられている画素の画素配列に関して示し、図３はカラーフィルタのカラーフィルタ配列に関して示している。
【００４５】
図２に示すように、カラー撮像素子１２は、水平方向及び垂直方向に配列（二次元配列）された光電変換素子２２からなる複数の画素と、各画素の受光面上に配置された、図３に示すカラーフィルタ配列のカラーフィルタとから構成されている。各画素上には、ＲＧＢの３原色のカラーフィルタ（以下、Ｒフィルタ、Ｇフィルタ、Ｂフィルタという）２３Ｒ，２３Ｇ，２３Ｂのうちのいずれかが配置される。以下、Ｒフィルタ２３Ｒが配置された画素を「Ｒ画素」、Ｇフィルタ２３Ｇが配置された画素を「Ｇ画素」、Ｂフィルタ２３Ｂが配置された画素を「Ｂ画素」という。
【００４６】
尚、カラー撮像素子１２は、ＣＣＤ（Charge Coupled Device）カラー撮像素子に限らず、ＣＭＯＳ（Complementary Metal Oxide Semiconductor）撮像素子などの他の種類の撮像素子であってもよい。
【００４７】
＜カラーフィルタ配列の特徴＞
第１の実施形態のカラー撮像素子１２のカラーフィルタ配列は、下記の特徴（１）、（２）、（３）、（４）、（５）、及び（６）を有している。
【００４８】
〔特徴（１）〕
図３に示すカラーフィルタ配列は、６×６画素に対応する正方配列パターンからなる基本配列パターンＰ（図中の太枠で示したパターン）を含み、この基本配列パターンＰが水平方向及び垂直方向に繰り返し配置されている。即ち、このカラーフィルタ配列は、Ｒ、Ｇ、Ｂの各色のＲフィルタ２３Ｒ、Ｇフィルタ２３Ｇ、Ｂフィルタ２３Ｂが周期性をもって配列されている。
【００４９】
このようにＲフィルタ２３Ｒ、Ｇフィルタ２３Ｇ、Ｂフィルタ２３Ｂが周期性をもって配列されているため、カラー撮像素子１２から読み出されるＲ、Ｇ、Ｂ信号のデモザイキング処理等を行う際に、繰り返しパターンにしたがって処理を行うことができる。
【００５０】
また、基本配列パターンＰの単位で間引き処理して画像を縮小する場合、間引き処理後のカラーフィルタ配列は、間引き処理前のカラーフィルタ配列と同じにすることができ、共通の処理回路を使用することができる。
【００５１】
〔特徴（２）〕
図３に示すカラーフィルタ配列は、輝度信号を得るために最も寄与する色（この実施形態では、Ｇの色）に対応するＧフィルタ２３Ｇが、カラーフィルタ配列の水平、垂直、及び斜め（ＮＥ，ＮＷ）方向の各フィルタライン内に１つ以上配置されている。ここで、ＮＥは斜め右上方向を意味し、ＮＷは斜め右下方向を意味する。例えば、正方形の画素の配列の場合は、斜め右上及び斜め右下方向とは水平方向に対しそれぞれ４５°の方向となるが、長方形の画素の配列であれば、長方形の対角線の方向であり長辺・短辺の長さに応じてその角度は変わりうる。
【００５２】
輝度系画素に対応するＧフィルタ２３Ｇが、カラーフィルタ配列の水平、垂直、及び斜め（ＮＥ，ＮＷ）方向の各フィルタライン内に１つ以上配置されるため、高周波となる方向によらず高周波領域でのデモザイキング処理の再現精度を向上させることができる。
【００５３】
〔特徴（３）〕
図３に示すカラーフィルタ配列の基本配列パターンＰは、その基本配列パターン内におけるＲＧＢフィルタ２３Ｒ，２３Ｇ，２３Ｂに対応するＲ画素、Ｇ画素、Ｂ画素の画素数が、それぞれ８画素、２０画素、８画素になっている。即ち、ＲＧＢ画素の各画素数の比率は、２：５：２になっており、輝度信号を得るために最も寄与するＧ画素の画素数の比率は、他の色のＲ画素、Ｂ画素のそれぞれの画素数の比率よりも大きくなっている。
【００５４】
上記のようにＧ画素の画素数とＲ，Ｂ画素の画素数との比率が異なり、特に輝度信号を得るために最も寄与するＧ画素の画素数の比率を、Ｒ，Ｂ画素の画素数の比率よりも大きくするようにしたため、デモザイキング処理時におけるエリアシングを抑制することができるとともに、高周波再現性もよくすることができる。
【００５５】
〔特徴（４）〕
図３に示すカラーフィルタ配列は、上記Ｇの色以外の２色以上の他の色（この実施形態では、Ｒ，Ｂの色）に対応するＲフィルタ２３Ｒ、Ｂフィルタ２３Ｂが、それぞれ基本配列パターンＰ内においてカラーフィルタ配列の水平、及び垂直方向の各フィルタライン内に１つ以上配置されている。
【００５６】
Ｒフィルタ２３Ｒ及びＢフィルタ２３Ｂがそれぞれカラーフィルタ配列の水平、及び垂直方向の各フィルタライン内に配置されるため、色モワレ（偽色）の発生を抑圧することができる。これにより、偽色の発生を抑制するための光学ローパスフィルタを光学系の入射面から撮像面までの光路に配置しないようにでき、又は光学ローパスフィルタを適用する場合でも偽色の発生を防止するための高周波数成分をカットする働きの弱いものを適用することができ、解像度を損なわないようにすることができる。
【００５７】
図４は、図３に示した基本配列パターンＰを、３×３画素に４分割した状態に関して示している。
【００５８】
図４に示すように基本配列パターンＰは、図中の実線の枠で囲んだ３×３画素のＡ配列２４ａと、図中の破線の枠で囲んだ３×３画素のＢ配列２４ｂとが、水平、垂直方向に交互に並べられた配列となっていると捉えることもできる。
【００５９】
Ａ配列２４ａ及びＢ配列２４ｂは、それぞれ輝度系画素であるＧフィルタ２３Ｇが４隅と中央に配置され、両対角線上に配置されている。また、Ａ配列２４ａは、中央のＧフィルタ２３Ｇを挟んでＲフィルタ２３Ｒが水平方向に配列され、Ｂフィルタ２３Ｂが垂直方向に配列されている。一方、Ｂ配列２４ｂは、中央のＧフィルタ２３Ｇを挟んでＢフィルタ２３Ｂが水平方向に配列され、Ｒフィルタ２３Ｒが垂直方向に配列されている。即ち、Ａ配列２４ａとＢ配列２４ｂとは、Ｒフィルタ２３ＲとＢフィルタ２３Ｂとの位置関係が逆転しているが、その他の配置は同様になっている。
【００６０】
また、Ａ配列２４ａとＢ配列２４ｂの４隅のＧフィルタ２３Ｇは、図５に示すようにＡ配列とＢ配列とが水平、垂直方向に交互に配置されることにより、２×２画素に対応する正方配列のＧフィルタ２３Ｇとなる。
【００６１】
これは、輝度系画素であるＧフィルタ２３Ｇが、Ａ配列２４ａまたはＢ配列２４ｂにおける３×３画素において４隅と中央に配置され、この３×３画素が水平方向、垂直方向に交互に配置されることで２×２画素に対応する正方配列のＧフィルタ２３Ｇが形成されるためである。尚、このような配列とすることで、前述の特徴（１）、（２）、（３）、及び後述の特徴（５）が満たされる。
【００６２】
〔特徴（５）〕
図３に示すカラーフィルタ配列は、Ｇフィルタ２３Ｇが設けられた２×２画素に対応する正方配列２５（以下、単にＧ正方配列２５という、図６参照）を含んでいる。
【００６３】
図６に示すように、Ｇフィルタ２３Ｇが設けられた２×２画素を取り出し、水平方向のＧ画素の画素値の差分絶対値、垂直方向のＧ画素の画素値の差分絶対値、斜め方向（右上斜め、左上斜め）のＧ画素の画素値の差分絶対値を求めることにより、水平方向、垂直方向、及び斜め方向のうち、差分絶対値の小さい方向に相関があると判断することができる。
【００６４】
即ち、このカラーフィルタ配列によれば、最小画素間隔のＧ画素の情報を使用して、水平方向、垂直方向、及び斜め方向のうちの相関の高い方向判別ができる。この方向判別結果は、周囲の画素から補間する処理（デモザイキング処理）に使用することができる。これにより、画像処理部１６によるデモザイキング処理が実行可能となる。
【００６５】
また、図５に示すように３×３画素のＡ配列２４ａ又はＢ配列２４ｂの画素をデモザイキング処理の対象画素とし、Ａ配列２４ａ又はＢ配列２４ｂを中心に５×５画素（モザイク画像の局所領域）を抽出した場合、この５×５画素の４隅に２×２画素のＧ画素が存在することになる。これらの２×２画素のＧ画素の画素値を使用することにより、４方向の相関方向の判別を最小画素間隔のＧ画素の情報を使用して精度よく行うことができる。
【００６６】
〔特徴（６）〕
図３に示すカラーフィルタ配列の基本配列パターンＰは、その中心（４つのＧフィルタ２３Ｇの中心）に対して点対称になっている。また、図４に示したように、基本配列パターンＰ内のＡ配列２４ａ及びＢ配列２４ｂも、それぞれ中心のＧフィルタ２３Ｇに対して点対称になっている。
【００６７】
このような対称性により、後段の処理回路の回路規模を小さくしたり、簡略化することが可能になる。
【００６８】
図７に示すように太枠で示した基本配列パターンＰにおいて、水平方向の第１から第６のラインのうちの第１及び第３のラインのカラーフィルタ配列は、ＧＢＧＧＲＧであり、第２のラインのカラーフィルタ配列は、ＲＧＲＢＧＢであり、第４及び第６のラインのカラーフィルタ配列は、ＧＲＧＧＢＧであり、第５のラインのカラーフィルタ配列は、ＢＧＢＲＧＲとなっている。
【００６９】
いま、図７において、基本配列パターンＰを水平方向、及び垂直方向にそれぞれ１画素ずつシフトした基本配列パターンをＰａ、それぞれ２画素ずつシフトした基本配列パターンをＰｂとすると、これらの基本配列パターンＰａ、Ｐｂを水平方向及び垂直方向に繰り返し配置しても、同じカラーフィルタ配列になる。
【００７０】
即ち、基本配列パターンを水平方向及び垂直方向に繰り返し配置することで、図７に示すカラーフィルタ配列を構成することができる基本配列パターンは複数存在する。第１の実施形態では、基本配列パターンが点対称になっている基本配列パターンＰを、便宜上、基本配列パターンという。
【００７１】
尚、後述する他の実施形態のカラーフィルタ配列においても、各カラーフィルタ配列に対して複数の基本配列パターンが存在するが、その代表的なものをそのカラーフィルタ配列の基本配列パターンという。
【００７２】
［カラー撮像素子の第２の実施形態］
図８は本発明に係る単板式のカラー撮像素子の第２の実施形態を示す図であり、特にカラー撮像素子のカラーフィルタ配列に関して示している。なお、第２の実施形態のカラー撮像素子は、カラーフィルタ配列が異なる点を除けば、上記第１の実施形態と基本的には同じ構成である。このため、上記第１の実施形態と機能・構成上同一のものについては、同一符号を付してその説明は省略する。
【００７３】
第２の実施形態のカラー撮像素子２６のカラーフィルタ配列（以下、単にカラーフィルタ配列という）は、ＲＧＢフィルタ２３Ｒ，２３Ｇ，２３Ｂが４×４画素に対応する配列パターンで配列されてなるサブ配列により構成されている。本実施形態のサブ配列には、Ａ配列２７ａ及びＢ配列２７ｂの２種類がある。なお、図８はカラーフィルタ配列の一部を抽出した図面である（図９以降も同様）。
【００７４】
カラーフィルタ配列は、Ａ配列２７ａ及びＢ配列２７ｂが水平方向に交互に配置されてなるサブ配列群２８を複数含み、各サブ配列群２８が垂直方向に繰り返し配置されてなる。さらに、このカラーフィルタ配列では、垂直方向に互いに隣接するサブ配列群２８が水平方向に１画素間隔分ずれて配置されている。
【００７５】
また、本実施形態では、垂直方向に奇数番目に配置されたサブ配列群２８に対して、偶数番目に配置されたサブ配列群２８を同方向に１画素間隔分ずらして配置させている。これにより、各サブ配列群２８のずれ方向がカラーフィルタ配列の垂直方向に沿って交互に互い違いとなる。具体的には、例えば垂直方向に１番目のサブ配列群２８に対して２番目のサブ配列群２８が図中右方向にずれ、この２番目のサブ配列群２８に対して３番目のサブ配列群２８が図中左方向にずれ、以下同様にして、ずれ方向が右、左、右・・・に切り替わる。
【００７６】
Ａ配列２７ａには、その２つの対角線上に沿ってＧフィルタ２３Ｇが配置されている。また、Ａ配列２７ａには、Ｒフィルタ２３Ｒ及びＢフィルタ２３Ｂがカラーフィルタ配列の水平・垂直方向の各フィルタライン内に１つずつ配置されている。一方、Ｂ配列２７ｂは、Ｒフィルタ２３ＲとＢフィルタ２３Ｂとの位置関係が逆転している点を除けば、Ａ配列２７ａと基本的には同じ配列パターンである。
【００７７】
このようなカラーフィルタ配列は、８×８画素に対応する正方配列パターンからなる基本配列パターンＰ１（図中の太枠で示したパターン）が水平・垂直方向にそれぞれ並べられた配列であると捉えることもできる。この基本配列パターンＰ１は、互いに隣接するサブ配列群２８にそれぞれ含まれるサブ配列（Ａ配列２７ａ及びＢ配列２７ｂの少なくとも一方）をそれぞれ含んでいる。
【００７８】
図９に示すように、基本配列パターンＰ１を水平・垂直方向に繰り返し配置することにより、図８に示したカラーフィルタ配列が得られる。このため、カラーフィルタ配列は前述の特徴（１）を有する。
【００７９】
この際に、カラーフィルタ配列の基本配列パターンは、図９に示した基本配列パターンＰ１に限定されるものではなく、８×８画素に対応する正方配列パターンであれば特に限定はされない。例えば、図８に示した基本配列パターンＰ１を水平方向、垂直方向にそれぞれ２画素、１画素だけシフトさせた基本配列パターンＰ１ａ（図８中の点線枠で表示）を、図１０に示すように水平・垂直方向に繰り返し配置した場合でも、図８に示したカラーフィルタ配列が得られる。このようにカラーフィルタ配列は、任意の８×８画素に対応する基本配列パターンを水平・垂直方向に繰り返し配置してなる。以下、第２の実施形態では基本配列パターンに符号「Ｐ１」を付す。
【００８０】
図８に戻って、Ａ配列２７ａ及びＢ配列２７ｂがＮ×Ｎ（Ｎは４以上の偶数，なお、Ｎ＝２の場合は後述する）画素に対応する配列パターンを有し（条件１）、両配列２７ａ，２７ｂの少なくとも２つの対角線上にＧフィルタ２３Ｇが配置され（条件２）、さらに互いに隣接するサブ配列群２８が１画素間隔分ずらして配置されている場合（条件３）には、Ｇフィルタ２３Ｇがカラーフィルタ配列の水平、垂直、及び斜め（ＮＥ，ＮＷ）方向の各フィルタライン内に配置される。
【００８１】
一方、例えば図１１に示す比較例のように、条件１及び条件２は満たされるが条件３を満たさない場合には、カラーフィルタ配列が基本配列パターンＰＮＧを並べた配列とみなすことができるものの、各サブ配列（両配列２７ａ，２７ｂ）のＧフィルタ２３Ｇの配置されていない画素（以下、Ｇ空白画素という）が、同一の斜め（ＮＥ，ＮＷ）方向のライン上に位置してしまう。その結果、カラーフィルタ配列に、Ｇフィルタ２３Ｇが配置されていない斜めライン（以下、Ｇ空白ラインという）Ｌが生じる。
【００８２】
これに対して、図１２に示すように本実施形態では、互いに隣接するサブ配列群２８が水平方向に１画素間隔分ずれて配置されているので、１つのサブ配列群２８のサブ配列のＧ空白ラインＬの延長線上には、他のサブ配列群２８のサブ配列のＧフィルタ２３Ｇが少なくとも１つは配置されている。その結果、図１１に示した比較例のようなＧ空白ラインＬは生じない。
【００８３】
また、Ｇフィルタ２３Ｇは前述の条件２を満たすように配列されているので、カラーフィルタ配列の水平、垂直方向の各フィルタライン上にＧフィルタ２３Ｇは１以上配置される。このように、第２の実施形態では、前述の条件１〜３を満たすようにＧフィルタ２３Ｇを配列することで、Ｇフィルタ２３Ｇがカラーフィルタ配列の水平、垂直、及び斜め（ＮＥ，ＮＷ）方向の各フィルタライン内に配置される。これにより、カラーフィルタ配列は前述の特徴（２）を有する。
【００８４】
さらに、前述の条件２を満たす場合には、カラーフィルタ配列にはＧ正方配列２５が含まれる。これにより、カラーフィルタ配列は前述の特徴（５）を有する。
【００８５】
図８に戻って、Ｒフィルタ２３Ｒ及びＢフィルタ２３Ｂは、各サブ配列（両配列２７ａ，２７ｂ）内において、カラーフィルタ配列の水平、垂直方向の各フィルタライン内に配置されている。このため、Ｒフィルタ２３Ｒ及びＢフィルタ２３Ｂは、任意の基本配列パターンＰ１内においても、カラーフィルタ配列の水平、垂直方向の各フィルタライン内に配置される。このため、カラーフィルタ配列は前述の特徴（４）を有する。
【００８６】
さらに、第２の実施形態では、基本配列パターンＰ１内におけるＲＧＢフィルタ２３Ｒ，２３Ｇ，２３Ｂに対応するＲ画素、Ｇ画素、Ｂ画素の画素数（以下、適宜ＲＧＢ画素の各画素数と略す）が、１６画素、３２画素、１６画素となる。このため、ＲＧＢ画素の各画素数の比率は１：２：１となるので、カラーフィルタ配列は前述の特徴（３）を有する。
【００８７】
なお、基本配列パターンＰ１は、その中心に対して点対称とはなっていない。
【００８８】
上記のように第２の実施形態のカラーフィルタ配列は、第１の実施形態のカラーフィルタ配列の特徴（１）、（２）、（３）、（４）、及び（５）と同じ特徴を有している。
【００８９】
また、基本配列パターンＰ１が「偶数×偶数」画素に対応する配列パターンで構成されるため、カラー撮像素子２６がＣＭＯＳ撮像素子である場合に、例えば正方行列状に配置された４個の画素で１個のアンプ回路を共有させることもできる（他の実施形態も同様）。
【００９０】
［カラー撮像素子の第３の実施形態］
図１３は本発明に係る単板式のカラー撮像素子の第３の実施形態を示す図であり、特にカラー撮像素子のカラーフィルタ配列に関して示している。上記第２の実施形態では、互いに隣接するサブ配列群２８を水平方向に１画素間隔分ずらして配置している。これに対して、第３の実施形態のカラー撮像素子３０では、互いに隣接するサブ配列群２８を水平方向に２画素間隔分ずらして配置している。
【００９１】
なお、第３の実施形態は、互いに隣接するサブ配列群２８のずれ量が異なる点を除けば、上記第１及び第２の実施形態と基本的には同じ構成であるので、これら各実施形態と機能・構成上同一のものについては、同一符号を付してその説明は省略する（第４の実施形態以降の各実施形態についても同様）。
【００９２】
カラー撮像素子３０のカラーフィルタ配列（以下、単にカラーフィルタ配列という）についても、第２の実施形態と同様に、８×８画素に対応する正方配列パターンからなる基本配列パターンＰ２が水平・垂直方向にそれぞれ並べられた配列であると捉えることもできる。なお、基本配列パターンＰ２は、図１３に示した配列パターンに限定されるものではなく、８×８画素に対応する任意の正方配列パターンを基本配列パターンとすることができる。その結果、カラーフィルタ配列は前述の特徴（１）を有する。
【００９３】
互いに隣接するサブ配列群２８を２画素間隔分ずらして配置した場合（条件３Ａ）でも、カラーフィルタ配列ではＧフィルタ２３Ｇが配置されていない斜め（ＮＥ，ＮＷ）ラインは生じない。また、前述の条件２が満たされているので、カラーフィルタ配列にはＧフィルタ２３Ｇが配置されていない水平、垂直ラインも生じない。さらに、カラーフィルタ配列にはＧ正方配列２５が含まれる。これにより、カラーフィルタ配列は前述の特徴（２）及び特徴（５）を有する。
【００９４】
Ｒフィルタ２３Ｒ及びＢフィルタ２３Ｂは、第２の実施形態と同様に、各サブ配列内においてカラーフィルタ配列の水平、垂直方向の各フィルタライン内に配置されている。このため、Ｒフィルタ２３Ｒ及びＢフィルタ２３Ｂは、任意の基本配列パターンＰ２においてもカラーフィルタ配列の水平、垂直方向の各フィルタライン内に配置される。これにより、カラーフィルタ配列は前述の特徴（４）を有する。さらに、ＲＧＢ画素の各画素数の比率は第２の実施形態と同じであるので、カラーフィルタ配列は前述の特徴（３）を満たす。
【００９５】
なお、第２の実施形態と同様に、基本配列パターンＰ２は、その中心に対して点対称とはなっていない。
【００９６】
上記のように第３の実施形態のカラーフィルタ配列は、第１の実施形態のカラーフィルタ配列の特徴（１）、（２）、（３）、（４）、及び（５）と同じ特徴を有している。
【００９７】
［カラー撮像素子の第４の実施形態］
図１４は本発明に係る単板式のカラー撮像素子の第４の実施形態を示す図であり、特にカラー撮像素子のカラーフィルタ配列に関して示している。上記第２及び第３の実施形態では、垂直方向に互いに隣接するサブ配列群２８を水平方向にずらして配置している。これに対して、第４の実施形態のカラー撮像素子３２では、水平方向に互いに隣接するサブ配列群を垂直方向にずらして配置している。
【００９８】
カラー撮像素子３２のカラーフィルタ配列（以下、単にカラーフィルタ配列という）は、Ａ配列２７ａ及びＢ配列２７ｂが垂直方向に交互に配列されてなるサブ配列群３３を複数含み、各サブ配列群３３が水平方向に繰り返し配置されてなる。
【００９９】
また、カラーフィルタ配列では、水平方向に互いに隣接するサブ配列群３３を垂直方向に１画素間隔分ずらして配置している。具体的には、水平方向に奇数番目に配置されたサブ配列群３３に対して、偶数番目に配置されたサブ配列群３３を同方向に１画素間隔分ずらしている。これにより、各サブ配列群３３のずれ方向がカラーフィルタ配列の水平方向に沿って交互に互い違いとなる。
【０１００】
このようなカラーフィルタ配列についても、８×８画素に対応する正方配列パターンとなる基本配列パターンＰ３が水平・垂直方向にそれぞれ並べられた配列であると捉えることもできる。なお、基本配列パターンＰ３は、図１４に示した配列パターンに限定されるものではなく、８×８画素に対応する任意の正方配列パターンを基本配列パターンとすることができる。その結果、カラーフィルタ配列は前述の特徴（１）を有する。
【０１０１】
また、カラーフィルタ配列は、互いに隣接するサブ配列群３３のずらし方向が第２実施形態とは異なるものの、互いに隣接するサブ配列群を１画素間隔分ずらすという点では第２実施形態と同じである。このため、カラーフィルタ配列は、前述の条件１、条件２、及び条件３を満たすので、Ｇフィルタ２３Ｇがカラーフィルタ配列の水平、垂直、及び斜め（ＮＥ，ＮＷ）方向の各フィルタライン内に配置される。さらに、カラーフィルタ配列にはＧ正方配列２５が含まれる。これにより、カラーフィルタ配列は前述の特徴（２）及び特徴（５）を有する。
【０１０２】
Ｒフィルタ２３Ｒ及びＢフィルタ２３Ｂは、第２の実施形態と同様に、各サブ配列（Ａ配列２７ａ及びＢ配列２７ｂ）内においてカラーフィルタ配列の水平、垂直方向の各フィルタライン内に配置されているので、任意の基本配列パターンＰ３内においてもカラーフィルタ配列の水平、垂直方向の各フィルタライン内に配置される。これにより、カラーフィルタ配列は前述の特徴（４）を有する。さらに、ＲＧＢ画素の各画素数の比率は第２の実施形態と同じであるので、カラーフィルタ配列は前述の特徴（３）を満たす。
【０１０３】
なお、基本配列パターンＰ３は、その中心に対して点対称とはなっていない。
【０１０４】
上記のように第４の実施形態のカラーフィルタ配列は、第１の実施形態のカラーフィルタ配列の特徴（１）、（２）、（３）、（４）、及び（５）と同じ特徴を有している。
【０１０５】
［カラー撮像素子の第５の実施形態］
図１５は本発明に係る単板式のカラー撮像素子の第５の実施形態を示す図であり、特にカラー撮像素子のカラーフィルタ配列に関して示している。上記の第４の実施形態では、水平方向に互いに隣接するサブ配列群３３同士を垂直方向に１画素間隔分だけずらして配置している。これに対して、第５の実施形態のカラー撮像素子３６では、互いに隣接するサブ配列群３３同士を垂直方向に２画素間隔分だけずらして配置している。
【０１０６】
カラー撮像素子３６のカラーフィルタ配列（以下、単にカラーフィルタ配列という）についても、第４の実施形態と同様に、８×８画素に対応する任意の正方配列パターンからなる基本配列パターンＰ４が水平・垂直方向にそれぞれ並べられた配列となっていると捉えることもできる。その結果、カラーフィルタ配列は前述の特徴（１）を有する。
【０１０７】
また、カラーフィルタ配列は、互いに隣接するサブ配列群３３同士を水平方向に２画素間隔分だけずらしている点を除けば基本的には第４の実施形態のカラーフィルタ配列と同じである。このため、カラーフィルタ配列にはＧ正方配列２５が含まれるとともに、任意の基本配列パターンＰ４内におけるカラーフィルタ配列の水平、垂直方向の各フィルタライン内にＲフィルタ２３Ｒ及びＢフィルタ２３Ｂがそれぞれ配置される。さらに、ＲＧＢ画素の各画素数の比率は１：２：１となる。これにより、カラーフィルタ配列は、前述の特徴（５）、（４）、及び（３）を有する。
【０１０８】
また、カラーフィルタ配列は、互いに隣接するサブ配列群３３のずらし方向が第３実施形態とは異なるものの、互いに隣接するサブ配列群同士を２画素間隔分ずらすという点では第３実施形態と同じである。このため、カラーフィルタ配列は、前述の条件１、条件２、及び条件３Ａを満たすので、Ｇフィルタ２３Ｇがカラーフィルタ配列の水平、垂直、及び斜め（ＮＥ，ＮＷ）方向の各フィルタライン内に配置される。これにより、カラーフィルタ配列は前述の特徴（２）を有する。
【０１０９】
なお、基本配列パターンＰ４は、その中心に対して点対称とはなっていない。
【０１１０】
上記のように第５の実施形態のカラーフィルタ配列は、第１の実施形態のカラーフィルタ配列の特徴（１）、（２）、（３）、（４）、及び（５）と同じ特徴を有している。
【０１１１】
［カラー撮像素子の第６の実施形態］
図１６は本発明に係る単板式のカラー撮像素子の第６の実施形態を示す図であり、特にカラー撮像素子のカラーフィルタ配列に関して示している。上記第２の実施形態から第５の実施形態のカラーフィルタ配列は、４×４画素に対応する正方配列パターンを有するサブ配列（Ａ配列２７ａ及びＢ配列２７ｂ）により構成されている。これに対して、第６の実施形態のカラー撮像素子３９のカラーフィルタ配列（以下、単にカラーフィルタ配列という）は、２×２画素に対応する正方配列パターンを有するサブ配列により構成されている。
【０１１２】
カラーフィルタ配列は、Ａ配列４０ａ及びＢ配列４０ｂが水平方向に交互に配列されてなるサブ配列群４１ａと、Ｃ配列４０ｃ及びＤ配列４０ｄが水平方向に交互に配列されてなるサブ配列群４１ｂとを含み、かつサブ配列群４１ａとサブ配列群４１ｂとが垂直方向に交互に配置されてなる。さらに、このカラーフィルタ配列では、垂直方向に互いに隣接するサブ配列群４１ａとサブ配列群４１ｂとが水平方向に１画素間隔分だけ互いにずれて配置されている。
【０１１３】
Ａ配列４０ａには、その２つの対角線のうちの左斜め（ＮＷ）方向の対角線に沿ってＧフィルタ２３Ｇが配置され、右斜め（ＮＥ）方向の対角線に沿ってＢフィルタ２３Ｂが配置されている。また、Ｂ配列４０ｂは、Ａ配列４０ａのＢフィルタ２３ＢをＲフィルタ２３Ｒに置き換えたものである。
【０１１４】
Ｃ配列４０ｃには、左斜め（ＮＷ）方向の対角線に沿ってＧフィルタ２３Ｇが配置され、右斜め（ＮＥ）方向の対角線に沿ってＢフィルタ２３Ｂ、Ｒフィルタ２３Ｒがそれぞれ１つずつ配置されている。また、Ｄ配列４０ｄは、Ｃ配列４０ｃのＲフィルタ２３ＲとＢフィルタ２３Ｂとの位置関係を逆転させたものである。
【０１１５】
上記構成のカラーフィルタ配列は、４×４画素に対応する正方配列パターンとなる基本配列パターンＰ５が水平・垂直方向にそれぞれ並べられた配列であると捉えることもできる。なお、上記第２の実施形態などと同様に、基本配列パターンＰ５は、図１６に示した配列パターンに限定されるものではなく、４×４画素に対応する任意の正方配列パターンを基本配列パターンとすることができる。その結果、カラーフィルタ配列は前述の特徴（１）を有する。
【０１１６】
また、カラーフィルタ配列は、各配列４０ａ〜４０ｄが２×２画素に対応する配列パターンを有する条件１Ａと、各配列４０ａ〜４０ｄの２つの対角線の一方上にＧフィルタ２３Ｇが配置される条件２Ａと、互いに隣接するサブ配列群４１ａとサブ配列群４１ｂとが１画素間隔分ずれて配置される前述の条件３とを満たしている。
【０１１７】
条件１Ａ及び条件２Ａを満たすことにより、各配列４０ａ〜４０ｄの水平・垂直方向のラインにＧフィルタ２３Ｇがそれぞれ１つずつ配置されるので、Ｇフィルタ２３Ｇがカラーフィルタ配列の水平、垂直方向の各フィルタライン内に配置される。この際に、単に条件１Ａ及び条件２Ａを満たすだけではＧフィルタ２３Ｇが市松模様状に配置されるため、カラーフィルタ配列にＧフィルタ２３Ｇが配置されていない斜め方向（ＮＥ，ＮＷ）のラインが生じるが、さらに条件３を満たすことにより、Ｇフィルタ２３Ｇがカラーフィルタ配列の斜め（ＮＥ，ＮＷ）方向の各フィルタライン内に配置される。これにより、カラーフィルタ配列は前述の特徴（２）を有する。
【０１１８】
さらに、上記構成のカラーフィルタ配列では、Ｒフィルタ２３Ｒ及びＢフィルタ２３Ｂが任意の基本配列パターンＰ５内におけるカラーフィルタ配列の水平、垂直方向の各フィルタライン内にそれぞれ配置される。これにより、カラーフィルタ配列は前述の特徴（４）を有する。また、任意の基本配列パターンＰ５内のＲＧＢフィルタ２３Ｒ，２３Ｇ，２３Ｂに対応するＲＧＢ画素の各画素数が４画素、８画素、４画素となる。このため、ＲＧＢ画素の各画素数の比率は１：２：１となるので、カラーフィルタ配列は前述の特徴（３）を有する。
【０１１９】
なお、基本配列パターンＰ５は、その中心に対して点対称とはなっておらず、また、カラーフィルタ配列にはＧ正方配列２５が含まれてはいない。
【０１２０】
上記のように第６の実施形態のカラーフィルタ配列は、第１の実施形態の特徴（１）、（２）、（３）及び（４）と同じ特徴を有している。
【０１２１】
また、第６の実施形態のカラーフィルタ配列は、図１７のＡ部分、Ｂ部分に示すようにカラー撮像素子３９の奇数（偶数でも可）ラインを間引き読み出し駆動したときに、図１７のＣ部分に示すように、基本配列パターンＰ５ａが水平・垂直方向に繰り返し配置された配列となる。このため、動画撮影時などにカラー撮像素子３９を間引き読み出し駆動した場合でも、ＲＧＢフィルタ２３Ｒ，２３Ｇ，２３Ｂの繰り返しパターンに従ってデモザイキング処理等を行うことができる。
【０１２２】
［カラー撮像素子の第７の実施形態］
図１８は本発明に係る単板式のカラー撮像素子の第７の実施形態を示す図であり、特にカラー撮像素子のカラーフィルタ配列に関して示している。上記第６の実施形態では、各配列４０ａ〜４０ｄの左斜め（ＮＷ）方向の対角線に沿ってＧフィルタ２３Ｇが配置されているが、第７の実施形態のカラー撮像素子４５のように、Ａ、Ｂ、Ｃ、Ｄ配列４６ａ〜４６ｄの右斜め（ＮＥ）方向の対角線に沿ってＧフィルタ２３Ｇが配置されていてもよい。
【０１２３】
各配列４６ａ〜４６ｄは、それぞれ上記第６の実施形態の各配列４０ａ〜４０ｄを図１６中で時計回り方向に９０°回転させたときの配列と同じパターンを有している。このような各配列４６ａ〜４６ｄで構成されるカラーフィルタ配列は、Ｇフィルタ２３Ｇの配置が逆転している点を除けば第６の実施形態のカラーフィルタ配列と基本的には同じ配列パターンである。
【０１２４】
また、カラーフィルタ配列に含まれる基本配列パターンＰ６についても、Ｇフィルタ２３Ｇの配置が逆転している点を除けば第６の実施形態の基本配列パターンＰ５と基本的には同じ配列パターンである。このため、第７の実施形態のカラーフィルタ配列も、第１の実施形態の特徴（１）、（２）、（３）及び（４）と同じ特徴を有している。
【０１２５】
さらに、図１９のＡ部分〜Ｃ部分に示すように、カラー撮像素子４５の奇数（偶数でも可）ラインを間引き読み出し駆動したときに、第６の実施形態と同様に、カラーフィルタ配列が基本配列パターンＰ６ａを水平・垂直方向に繰り返し配置した配列となる。
【０１２６】
［カラー撮像素子の第８の実施形態］
図２０は本発明に係る単板式のカラー撮像素子の第８の実施形態を示す図であり、特にカラー撮像素子のカラーフィルタ配列に関して示している。上記第２の実施形態から第５の実施形態のカラーフィルタ配列は４×４画素に対応する正方配列パターンを有するサブ配列により構成されているが、第８の実施形態のカラー撮像素子４８ではサブ配列のサイズをさらに拡大している。
【０１２７】
カラー撮像素子４８のカラーフィルタ配列（以下、単にカラーフィルタ配列という）は、６×６画素に対応する正方配列パターンを有するサブ配列、具体的にはＡ配列４９ａとＢ配列４９ｂとにより構成されている。このカラーフィルタ配列は、第２の実施形態のカラーフィルタ配列のＡ配列２８ａとＢ配列２８ｂをそれぞれＡ配列４９ａとＢ配列４９ｂを置き換えたものである。このため、カラーフィルタ配列は、Ａ配列４９ａ及びＢ配列４９ｂが水平方向に交互に配列されてなるサブ配列群５０を垂直方向に繰り返し配置してなる。また、第２の実施形態と同様に、互いに隣接するサブ配列群５０が水平方向に１画素間隔分ずらして配置されている。
【０１２８】
Ａ配列４９ａ及びＢ配列４９ｂには、２つの対角線上に沿ってＧフィルタ２３Ｇが配置されるとともに、Ｒフィルタ２３Ｒ及びＢフィルタ２３Ｂがカラーフィルタ配列の水平・垂直方向の各フィルタライン内に１つずつ配置されている。この際に、Ａ配列４９ａ及びＢ配列４９ｂは、Ｇフィルタ２３Ｇの数がＲ、Ｂフィルタ２３Ｒ，２３Ｂのそれぞれの数よりも多くなるように、対角線上以外の箇所にもＧフィルタ２３Ｇが配置されている。
【０１２９】
このようなカラーフィルタ配列についても、上記第２の実施形態などと同様に、１２×１２画素に対応する正方配列パターンからなる基本配列パターンＰ７が水平・垂直方向にそれぞれ並べられた配列であると捉えることもできる。また、このカラーフィルタ配列は、サブ配列（Ａ配列４９ａ及びＢ配列４９ｂ）のサイズを拡大した点を除けば、基本的には第２の実施形態のカラーフィルタ配列と同じであるので、第２の実施形態のカラーフィルタ配列と同様に前述の特徴（１）、（２）、（４）、及び（５）を有する。
【０１３０】
さらに、基本配列パターンＰ７内のＲＧＢフィルタ２３Ｒ，２３Ｇ，２３Ｂに対応するＲＧＢ画素の各画素数が３２画素、８０画素、３２画素となる。このため、ＲＧＢ画素の各画素数の比率は２：５：２となるので、カラーフィルタ配列は前述の特徴（３）を有する。
【０１３１】
なお、基本配列パターンＰ７は、その中心に対して点対称とはなっていない。
【０１３２】
上記のように第８の実施形態のカラーフィルタ配列は、第１の実施形態のカラーフィルタ配列の特徴（１）、（２）、（３）、（４）、及び（５）と同じ特徴を有している。
【０１３３】
なお、カラーフィルタ配列が、８×８画素以上のＮ×Ｎ（Ｎは偶数）画素に対応する配列パターン有するサブ配列により構成されている場合でも、垂直方向または水平方向に互いに隣接するサブ配列群同士が水平方向または垂直方向にＭ画素間隔分だけ互いにずれて配置されている場合には、上記第２の実施形態と同様の特徴を有する。この場合には、基本配列パターンは、任意の２Ｎ×２Ｎ画素に対応する正方配列パターンとなる。ここで、Ｍは、Ｇフィルタ２３Ｇがカラーフィルタ配列の水平、垂直、及び斜め（ＮＥ，ＮＷ）方向の各フィルタライン内に配置されるようにサブ配列のサイズに応じて適宜定められる。
【０１３４】
また、サブ配列のサイズを拡大する際には、Ｎを１０以下にすることが好ましい。これはＮが１０を超える場合（Ｎ＞１０）には、デモザイキング等の信号処理が複雑化するのに対し、基本配列パターンのサイズを大きくすることによる格別な効果が得られないからである。
【０１３５】
［カラー撮像素子の第９の実施形態］
図２１は本発明に係る単板式のカラー撮像素子の第９の実施形態を示す図であり、特にカラー撮像素子のカラーフィルタ配列に関して示している。上記第２の実施形態から第８の実施形態では、垂直方向または水平方向に隣接するサブ配列群をＭ画素間隔分ずらして配置することで、カラーフィルタ配列が少なくとも第１の実施形態のカラーフィルタ配列の特徴（１）、（２）、（３）、及び（４）を有するようにしている。これに対して、第９の実施形態のカラー撮像素子５２では、互いに隣接するサブ配列内のＧフィルタ２３Ｇの位置をずらすことにより、上記第２の実施形態から第８の実施形態と同様の効果が得られるようにしている。
【０１３６】
カラー撮像素子５２のカラーフィルタ配列（以下、単にカラーフィルタ配列という）は、ＲＧＢフィルタ２３Ｒ，２３Ｇ，２３Ｂが８×８画素に対応する配列パターンで配列されてなる基本配列パターンＰ８を含み、この基本配列パターンＰ８が水平方向及び垂直方向に繰り返し配置されている。このため、カラーフィルタ配列は前述の特徴（１）を有する。
【０１３７】
基本配列パターンＰ８は、４×４画素に対応する配列パターンを有する４種類のサブ配列で構成されている。これら４種類のサブ配列は、Ａ配列５３ａ、Ｂ配列５３ｂ、Ｃ配列５３ｃ、Ｄ配列５３ｄであり、各配列５３ａ〜５３ｄは互いに水平・垂直方向に隣接するように行列状に配置されている。具体的には、Ａ配列５３ａとＢ配列５３ｂ、Ｃ配列５３ｃとＤ配列５３ｄがそれぞれ垂直方向に隣接している。また、Ａ配列５３ａとＣ配列５３ｃ、Ｂ配列５３ｂとＤ配列５３ｄがそれぞれ水平方向に隣接している。
【０１３８】
Ａ配列５３ａ及びＤ配列５３ｄは、第２の実施形態のＢ配列２７ｂ（Ａ配列２７ａでも可）と同じものである。Ｂ配列５３ｂ及びＣ配列５３ｃには、２つの対角線上から垂直方向に１画素間隔分だけずれた位置にＧフィルタ２３Ｇが配置されている。また、Ｂ配列５３ｂ及びＣ配列５３ｃには、Ｒフィルタ２３Ｒ及びＢフィルタ２３Ｂがカラーフィルタ配列の水平・垂直方向の各フィルタライン内に１つ以上配置されている。
【０１３９】
このように、各配列５３ａ〜５３ｄが上記条件１を満たし、さらにＧフィルタ２３Ｇが水平方向または垂直方向に互いに隣接している各配列５３ａ〜５３ｄの一方の少なくとも２つの対角線上に沿って配置される（条件４）とともに、この一方のＧフィルタ２３Ｇの配置に対して他方のＧフィルタ２３Ｇの配置がＱ（Ｑ＜Ｎ）画素間隔分だけずれた位置に配置される場合（条件５）には、Ｇフィルタ２３Ｇが、カラーフィルタ配列の水平、垂直、及び斜め（ＮＥ，ＮＷ）方向の各フィルタライン内に配置される。これにより、カラーフィルタ配列は前述の特徴（２）を有する。
【０１４０】
また、前述の条件４を満たす場合には、カラーフィルタ配列にはＧ正方配列２５が含まれる。これにより、カラーフィルタ配列は前述の特徴（５）を有する。
【０１４１】
Ｒフィルタ２３Ｒ及びＢフィルタ２３Ｂは、各サブ配列（各配列５３ａ〜５３ｄ）内において、カラーフィルタ配列の水平、垂直方向の各フィルタライン内に配置されている。このため、Ｒフィルタ２３Ｒ及びＢフィルタ２３Ｂは、基本配列パターンＰ８内においても、カラーフィルタ配列の水平、垂直方向の各フィルタライン内に配置される。このため、カラーフィルタ配列は前述の特徴（４）を有する。
【０１４２】
さらに、第９の実施形態では、基本配列パターンＰ８内のＲＧＢフィルタ２３Ｒ，２３Ｇ，２３Ｂに対応するＲＧＢ画素の各画素数が、１８画素、２８画素、１８画素となる。このため、ＲＧＢ画素の各画素数の比率は１：１．６：１となるので、カラーフィルタ配列は前述の特徴（３）を有する。
【０１４３】
なお、基本配列パターンＰ８は、その中心に対して点対称とはなっていない。
【０１４４】
上記のように第９の実施形態のカラーフィルタ配列は、第１の実施形態のカラーフィルタ配列の特徴（１）、（２）、（３）、（４）、及び（５）と同じ特徴を有している。
【０１４５】
なお、上記第９の実施形態のカラーフィルタ配列では、Ａ配列５３ａ及びＤ配列５３ｄの内のＧフィルタ２３Ｇの配置に対して、Ｂ配列５３ｂ及びＣ配列５３ｃ内のＧフィルタ２３Ｇの配置が図中上方向に１画素間隔分だけずれているが、図中下方向または図中左右方向（水平方向）に１画素間隔分だけ配置をずらしてもよい。
【０１４６】
［カラー撮像素子の第１０の実施形態］
図２２は本発明に係る単板式のカラー撮像素子の第１０の実施形態を示す図であり、特にカラー撮像素子のカラーフィルタ配列に関して示している。上記第９の実施形態では、Ａ配列５３ａ及びＤ配列５３ｄ内のＧフィルタ２３Ｇの配置に対して、Ｂ配列５３ｂ及びＣ配列５３ｃのＧフィルタ２３Ｇの配置をそれぞれ同方向にずらしている。これに対して、第１０の実施形態のカラー撮像素子５５では、Ｂ配列及びＣ配列内のＧフィルタ２３Ｇの配置のずらし方向を異ならせている。
【０１４７】
カラー撮像素子５５のカラーフィルタ配列（以下、単にカラーフィルタ配列という）は、ＲＧＢフィルタ２３Ｒ，２３Ｇ，２３Ｂが８×８画素に対応する配列パターンで配列されてなる基本配列パターンＰ９を含み、この基本配列パターンＰ９が水平方向及び垂直方向に繰り返し配置されている。このため、カラーフィルタ配列は前述の特徴（１）を有する。
【０１４８】
基本配列パターンＰ９は、第９の実施形態の基本配列パターンＰ８と基本的には同じパターンである。ただし、基本配列パターンＰ９は、基本配列パターンＰ８のＢ配列５３ｂ及びＣ配列５３ｃとはそれぞれ異なるＢ配列５３ｂ１及びＣ配列５３ｃ１を有している。
【０１４９】
Ｂ配列５３ｂ１内のＧフィルタ２３Ｇの配置は、Ａ配列５３ａ及びＤ配列５３ｄのＧフィルタ２３Ｇの配置に対して図中右方向（水平方向）に１画素間隔分ずれている。一方、Ｃ配列５３ｃ１内のＧフィルタ２３Ｇの配置は、Ａ配列５３ａ及びＤ配列５３ｄ内のＧフィルタ２３Ｇの配置に対して図中左方向（水平方向）に１画素間隔分ずれている。
【０１５０】
このように、各配列５３ａ，５３ｂ１，５３ｃ１，５３ｄが上記条件１及び条件４を満たし、かつＡ配列５３ａ及びＤ配列５３ｄ内のＧフィルタ２３Ｇの配置に対してＢ配列５３ｂ及びＣ配列５３ｃ内のＧフィルタ２３Ｇの配置がそれぞれ異なる方向にＱ（Ｑ＜Ｎ）画素間隔分だけずれた位置に配置される場合（条件５Ａ）にも、Ｇフィルタ２３Ｇが、カラーフィルタ配列の水平、垂直、及び斜め（ＮＥ，ＮＷ）方向の各フィルタライン内に配置される。これにより、カラーフィルタ配列は前述の特徴（２）を有する。また、カラーフィルタ配列は、Ｇ正方配列２５を含むので前述の特徴（５）を有する。
【０１５１】
Ｒフィルタ２３Ｒ及びＢフィルタ２３Ｂは、第９の実施形態と同様に、基本配列パターンＰ９内においてカラーフィルタ配列の水平、垂直方向の各フィルタライン内に配置される。このため、カラーフィルタ配列は前述の特徴（４）を有する。
【０１５２】
また、ＲＧＢ画素の各画素数の比率は、第９の実施形態と同じであるので、カラーフィルタ配列は前述の特徴（３）を有する。
【０１５３】
なお、基本配列パターンＰ９は、その中心に対して点対称とはなっていない。
【０１５４】
上記のように第１０の実施形態のカラーフィルタ配列は、第１の実施形態のカラーフィルタ配列の特徴（１）、（２）、（３）、（４）、及び（５）と同じ特徴を有している。
【０１５５】
なお、上記第１０の実施形態のカラーフィルタ配列では、Ａ配列５３ａ及びＤ配列５３ｄ内のＧフィルタ２３Ｇの配置に対して、Ｂ配列５３ｂ１及びＣ配列５３ｃ１内のＧフィルタ２３Ｇの配置が図中右方向、図中左方向にそれぞれ１画素間隔分だけずれているが、各配置のずらし方向はカラーフィルタ配列が前述の特徴（２）を有する範囲で適宜変更してもよい。さらに、Ｂ配列５３ｂ１及びＣ配列５３ｃ１の一方のＧフィルタ２３Ｇの配置を水平方向にずらし、他方のＧフィルタ２３Ｇの配置を垂直方向にずらしてもよい。
【０１５６】
［カラー撮像素子の第１１の実施形態］
図２３は本発明に係る単板式のカラー撮像素子の第１１の実施形態を示す図であり、特にカラー撮像素子のカラーフィルタ配列に関して示している。上記第９及び第１０の実施形態の基本配列パターンＰ８，Ｐ９は、４×４画素に対応する正方配列パターンを有するサブ配列により構成されているが、第１１の実施形態のカラー撮像素子５７では、サブ配列のサイズをさらに拡大している。
【０１５７】
カラー撮像素子５７のカラーフィルタ配列（以下、単にカラーフィルタ配列という）は、ＲＧＢフィルタ２３Ｒ，２３Ｇ，２３Ｂが１２×１２画素に対応する配列パターンで配列されてなる基本配列パターンＰ１０を含み、この基本配列パターンＰ１０が水平方向及び垂直方向に繰り返し配置されている。このため、カラーフィルタ配列は前述の特徴（１）を有する。
【０１５８】
基本配列パターンＰ１０は、上記第９及び第１０の実施形態と同様に、互いに水平・垂直方向に隣接するように行列状に配置されたＡ配列５８ａ、Ｂ配列５８ｂ、Ｃ配列５８ｃ、及びＤ配列５８ｄにより構成されている。各配列５８ａ〜５８ｄは、ＲＧＢフィルタ２３Ｒ，２３Ｇ，２３Ｂが６×６画素に対応する配列パターンで配列されてなる。
【０１５９】
このような各配列５８ａ〜５８ｄは、個々のサイズを拡大し、かつＡ配列５８ａ及びＤ配列５８ｄ内の対角線上以外の箇所にもＧフィルタ２３Ｇを配置し、さらに、Ｂ配列５８ｂのずらし方向を図中上方向に変更した点を除けば、第１０の実施形態の各配列５３ａ，５３ｂ１，５３ｃ１，５３ｄと基本的に同じである。このため、カラーフィルタ配列は、第１０の実施形態と同様に、前述の特徴（２）、（４）、及び（５）を有する。
【０１６０】
また、基本配列パターンＰ１０内のＲＧＢフィルタ２３Ｒ，２３Ｇ，２３Ｂに対応するＲＧＢ画素の各画素数は、３６画素、７２画素、３６画素となる。このため、ＲＧＢ画素の各画素数の比率は１：２：１となるので、カラーフィルタ配列は前述の特徴（３）を有する。
【０１６１】
なお、基本配列パターンＰ１０は、その中心に対して点対称とはなっていない。
【０１６２】
上記のように第１１の実施形態のカラーフィルタ配列は、第１の実施形態のカラーフィルタ配列の特徴（１）、（２）、（３）、（４）、及び（５）と同じ特徴を有している。
【０１６３】
なお、図示は省略するが、基本配列パターンが８×８画素以上のＮ×Ｎ（Ｎは偶数）画素に対応する配列パターン有するサブ配列により構成されている場合でも、上記第９または第１０の実施形態と同様の特徴を有する。ここで、上述したようにＮが１０を超えても、デモザイキング等の信号処理が複雑化し、さらに基本配列パターンのサイズを大きくすることによる格別な効果が得られないので、Ｎは１０以下にすることが好ましい。
【０１６４】
また、第９の実施形態から第１１の実施形態では、Ａ配列及びＤ配列内のＧフィルタ２３Ｇの配置に対して、Ｂ配列及びＣ配列内のＧフィルタ２３Ｇの配置をそれぞれ１画素間隔分ずらしているが、カラーフィルタ配列が前述の特徴（２）を有する範囲内において、Ｇフィルタ２３Ｇの配置のずらし量を２〜Ｑ画素間隔の範囲で変えてもよい。さらに、カラーフィルタ配列内における、Ａ配列及びＤ配列の位置と、Ｂ配列及びＣ配列の位置とを逆転させてもよい。
【０１６５】
［その他］
上記各実施形態のＲフィルタ２３Ｒ及びＢフィルタ２３Ｂの配置は、図３〜図２３に示した配置に限定されず、少なくとも前述の特徴（４）を満たす範囲内で適宜変更してもよい。
【０１６６】
上記第２の実施形態から第８の実施形態では、垂直方向または水平方向に奇数番目に配置されたサブ配列群に対して、偶数番目に配置されたサブ配列群を同方向にずらすことにより、各サブ配列群のずれ方向がカラーフィルタ配列の垂直方向または水平方向に沿って交互に互い違いとなるようにしているが、カラーフィルタ配列が前述の特徴（２）を有する範囲内において、各サブ配列群のずれ方向を適宜変更してもよい。
【０１６７】
［変形例］
また、上述の各実施形態では、第１の色として緑（Ｇ）を採用し、第２の色として赤（Ｒ）及び青（Ｂ）を採用した例について説明したが、カラーフィルタで使用しうる色はこれらの色に限定されるものではなく、以下の条件を満たす色に対応するカラーフィルタを用いることもできる。
【０１６８】
＜第１のフィルタ（第１の色）の条件＞
上記各実施形態では、本発明の第１の色を有する第１のフィルタとしてＧ色のＧフィルタを例に挙げて説明を行ったが、Ｇフィルタの代わりに、あるいはＧフィルタの一部に代えて、下記条件（１）から条件（４）のいずれかを満たすフィルタを用いてもよい。
【０１６９】
〔条件（１）〕
条件（１）は、輝度信号を得るための寄与率が５０％以上であることである。この寄与率５０％は、本発明の第１の色（Ｇ色など）と、第２の色（Ｒ、Ｂ色など）とを区別するために定めた値であって、輝度データを得るための寄与率がＲ色、Ｂ色などよりも相対的に高くなる色が「第１の色」に含まれるように定めた値である。
【０１７０】
なお、寄与率が５０％未満となる色は本発明の第２色（Ｒ色、Ｂ色など）となり、この色を有するフィルタが本発明の第２のフィルタとなる。
【０１７１】
〔条件（２）〕
条件（２）は、フィルタの透過率のピークが波長４８０ｎｍ以上５７０ｎｍ以下の範囲内にあることである。フィルタの透過率は、例えば分光光度計で測定された値が用いられる。この波長範囲は、本発明の第１の色（Ｇ色など）と、第２の色（Ｒ、Ｂ色など）とを区別するために定められた範囲であって、前述の寄与率が相対的に低くなるＲ色、Ｂ色などのピークが含まれず、かつ寄与率が相対的に高くなるＧ色などのピークが含まれるように定められた範囲である。したがって、透過率のピークが波長４８０ｎｍ以上５７０ｎｍ以下の範囲内にあるフィルタを第１のフィルタとして用いることができる。なお、透過率のピークが波長４８０ｎｍ以上５７０ｎｍ以下の範囲外となるフィルタが本発明の第２のフィルタ（Ｒフィルタ、Ｂフィルタ）となる。
【０１７２】
〔条件（３）〕
条件（３）は、波長５００ｎｍ以上５６０ｎｍ以下の範囲内での透過率が第２のフィルタ（ＲフィルタやＢフィルタ）の透過率よりも高いことである。この条件（３）においても、フィルタの透過率は例えば分光光度計で測定された値が用いられる。この条件（３）の波長範囲も、本発明の第１の色（Ｇ色など）と、第２の色（Ｒ、Ｂ色など）とを区別するために定められた範囲であって、Ｒ色やＢ色などよりも前述の寄与率が相対的に高くなる色を有するフィルタの透過率が、ＲＢフィルタなどの透過率よりも高くなる範囲である。したがって、透過率が波長５００ｎｍ以上５６０ｎｍ以下の範囲内で相対的に高いフィルタを第１のフィルタとして用い、透過率が相対的に低いフィルタを第２のフィルタとして用いることができる。
【０１７３】
〔条件（４）〕
条件（４）は、３原色のうち最も輝度信号に寄与する色（例えばＲＧＢのうちのＧ色）と、この３原色とは異なる色とを含む２色以上のフィルタを、第１のフィルタとして用いることである。この場合には、第１のフィルタの各色以外の色に対応するフィルタが第２のフィルタとなる。
【０１７４】
＜複数種類の第１のフィルタ（Ｇフィルタ）＞
したがって、第１のフィルタとしてのＧ色のＧフィルタは一種類に限定されるものではなく、例えば複数種類のＧフィルタ（Ｇ１フィルタ、Ｇ２フィルタ）を第１のフィルタとして用いることもできる。すなわち上述の各実施形態に係るカラーフィルタ（基本配列パターン）のＧフィルタが、Ｇ１フィルタまたはＧ２フィルタに適宜置き換えられてもよい。Ｇ１フィルタは第１の波長帯域のＧ光を透過し、Ｇ２フィルタはＧ１フィルタと相関の高い第２の波長帯域のＧ光を透過する（図２４参照）。
【０１７５】
Ｇ１フィルタとしては、現存のＧフィルタ（例えば第１実施形態のＧフィルタ）を用いることができる。また、Ｇ２フィルタとしては、Ｇ１フィルタと相関の高いフィルタを用いることができる。この場合に、Ｇ２フィルタが配置される受光素子の分光感度曲線のピーク値は、例えば波長５００ｎｍから５３５ｎｍの範囲（現存のＧフィルタが配置される受光素子の分光感度曲線のピーク値の近傍）にあることが望ましい。なお、４色（Ｒ、Ｇ１、Ｇ２、Ｂ）のカラーフィルタを決定する方法は、例えば特開２００３−２８４０８４号に記載されている方法が用いられる。
【０１７６】
このようにカラー撮像素子により取得される画像の色を４種類とし、取得される色情報を増やすことにより、３種類の色（ＲＧＢ）のみが取得される場合と較べて、より正確に色を表現することができる。すなわち、眼で違うものに見える色は違う色に、同じものに見える色は同じ色にそれぞれ再現すること（「色の判別性」を向上させること）ができる。
【０１７７】
なお、Ｇ１、Ｇ２フィルタの透過率は、第１実施形態のＧフィルタの透過率と基本的には同じであるので、輝度信号を得るための寄与率は５０％よりは高くなる。したがって、Ｇ１、Ｇ２フィルタは前述の条件（１）を満たす。
【０１７８】
また、カラーフィルタ配列（受光素子）の分光感度特性を示す図２４において、各Ｇ１、Ｇ２フィルタの透過率のピーク（各Ｇ画素の感度のピーク）は波長４８０ｎｍ以上５７０ｎｍ以下の範囲内にある。各Ｇ１、Ｇ２フィルタの透過率は波長５００ｎｍ以上５６０ｎｍ以下の範囲内で、ＲＢフィルタの透過率よりも高くなる。このため、各Ｇ１、Ｇ２フィルタは前述の条件（２）、（３）も満たしている。
【０１７９】
なお、各Ｇ１、Ｇ２フィルタの配置や個数は適宜変更してもよい。また、Ｇフィルタの種類を３種類以上に増加してもよい。
【０１８０】
＜透明フィルタ（Ｗフィルタ）＞
上述の実施形態では、主としてＲＧＢ色に対応する色フィルタから成るカラーフィルタが示されているが、これらの色フィルタの一部を透明フィルタＷ（白色画素）としてもよい。特に第１のフィルタ（Ｇフィルタ）の一部に代えて透明フィルタＷを配置することが好ましい。このようにＧ画素の一部を白色画素に置き換えることにより、画素サイズを微細化しても色再現性の劣化を抑制することができる。
【０１８１】
透明フィルタＷは、透明色（第１の色）のフィルタである。透明フィルタＷは、可視光の波長域に対応する光を透過可能であり、例えばＲＧＢの各色の光の透過率が５０％以上となるフィルタである。透明フィルタＷの透過率は、Ｇフィルタよりも高くなるので、輝度信号を得るための寄与率もＧ色（６０％）よりは高くなり、前述の条件（１）を満たす。
【０１８２】
カラーフィルタ配列（受光素子）の分光感度特性を示す図２５において、透明フィルタＷの透過率のピーク（白色画素の感度のピーク）は波長４８０ｎｍ以上５７０ｎｍ以下の範囲内にある。また、透明フィルタＷの透過率は波長５００ｎｍ以上５６０ｎｍ以下の範囲内で、ＲＢフィルタの透過率よりも高くなる。このため、透明フィルタＷは前述の条件（２）、（３）も満たしている。なお、Ｇフィルタについても透明フィルタＷと同様に前述の条件（１）〜（３）を満たしている。
【０１８３】
このように透明フィルタＷは、前述の条件（１）〜（３）を満たしているので、本発明の第１のフィルタとして用いることができる。なお、カラーフィルタ配列では、ＲＧＢの３原色のうち最も輝度信号に寄与するＧ色に対応するＧフィルタの一部を透明フィルタＷに置き換えているので、前述の条件（４）も満たしている。
【０１８４】
＜エメラルドフィルタ（Ｅフィルタ）＞
上述の実施形態では、主としてＲＧＢ色に対応する色フィルタから成るカラーフィルタが示されているが、これらの色フィルタの一部を他の色フィルタとしてもよく、例えばエメラルド（Ｅ）色に対応するフィルタＥ（エメラルド画素）としてもよい。特に第１のフィルタ（Ｇフィルタ）の一部に代えてエメラルドフィルタ（Ｅフィルタ）を配置しても良い。このようにＧフィルタの一部をＥフィルタで置き換えた４色のカラーフィルタ配列を用いることで、輝度の高域成分の再現を向上させ、ジャギネスを低減させるとともに、解像度感の向上を可能とすることができる。
【０１８５】
カラーフィルタ配列（受光素子）の分光感度特性を示す図２６において、エメラルドフィルタＥの透過率のピーク（Ｅ画素の感度のピーク）は波長４８０ｎｍ以上５７０ｎｍ以下の範囲内にある。また、エメラルドフィルタＥの透過率は波長５００ｎｍ以上５６０ｎｍ以下の範囲内で、ＲＢフィルタの透過率よりも高くなる。このため、エメラルドフィルタＥは前述の条件（２）、（３）を満たしている。また、カラーフィルタ配列では、ＲＧＢの３原色のうち最も輝度信号に寄与するＧ色に対応するＧフィルタの一部をエメラルドフィルタＥに置き換えているので、前述の条件（４）も満たしている。
【０１８６】
なお、図２６に示した分光特性では、エメラルドフィルタＥがＧフィルタよりも短波長側にピークを持つが、Ｇフィルタよりも長波長側にピークを持つ（少し黄色よりの色に見える）場合もある。このようにエメラルドフィルタＥとしては、本発明の各条件を満たすものを選択可能であり、例えば、条件（１）を満たすようなエメラルドフィルタＥを選択することもできる。
【０１８７】
＜他の色の種類＞
上述の各実施形態では、原色ＲＧＢのカラーフィルタで構成されるカラーフィルタ配列について説明したが、例えば原色ＲＧＢの補色であるＣ（シアン）、Ｍ（マゼンタ）、Ｙ（イエロー）に、Ｇを加えた４色の補色系のカラーフィルタのカラーフィルタ配列にも本発明を適用することができる。この場合も上記条件（１）〜（４）のいずれかを満たすカラーフィルタを本発明の第１のフィルタとし、他のカラーフィルタを第２のフィルタとする。
【０１８８】
＜ハニカム配置＞
上記各実施形態の各カラーフィルタ配列は、各色のカラーフィルタが水平方向（Ｈ）及び垂直方向（Ｖ）に２次元配列されてなる基本配列パターンを含み、かつこの基本配列パターンが水平方向（Ｈ）及び垂直方向（Ｖ）に繰り返し配置されてなるが、本発明はこれに限定されるものではない。
【０１８９】
例えば、上述の各実施形態の基本配列パターンを光軸回りに４５°回転させた所謂ハニカム配列状の基本配列パターンを用いて、基本配列パターンを斜め方向（ＮＥ、ＮＷ）に繰り返し配置してなる配列パターンによってカラーフィルタを構成してもよい。
【０１９０】
更にまた、本発明は上述した実施形態に限定されず、本発明の精神を逸脱しない範囲で種々の変形が可能であることは言うまでもない。
【符号の説明】
【０１９１】
９…デジタルカメラ、１２，２６，３０，３２，３６，３９，４５，４８，５２，５５，５７…カラー撮像素子、２３Ｒ…Ｒフィルタ、２３Ｇ…Ｇフィルタ、２３Ｂ…Ｂフィルタ、２４ａ，２７ａ，４０ａ，４６ａ，４９ａ，５３ａ，５８ａ…Ａ配列、２４ｂ，２７ｂ，４０ｂ，４６ｂ，４９ｂ，５３ｂ，５３ｂ１，５８ｂ…Ｂ配列、４０ｃ，４６ｃ，５３ｃ，５３ｃ１，５８ｃ…Ｃ配列、４０ｄ，４６ｄ，５３ｄ，５８ｄ…Ｄ配列、２８，３３，４１ａ，４１ｂ，５０…サブ配列群、Ｐ，Ｐ１，Ｐ１ａ，Ｐ２，Ｐ３，Ｐ４，Ｐ５，Ｐ５ａ，Ｐ６，Ｐ６ａ，Ｐ７，Ｐ８，Ｐ９，Ｐ１０…基本配列パターン
【図１】
0005621057.tif 000002
【図２】
0005621057.tif 000003
【図３】
0005621057.tif 000004
【図４】
0005621057.tif 000005
【図５】
0005621057.tif 000006
【図６】
0005621057.tif 000007
【図７】
0005621057.tif 000008
【図８】
0005621057.tif 000009
【図９】
0005621057.tif 000010
【図１０】
0005621057.tif 000011
【図１１】
0005621057.tif 000012
【図１２】
0005621057.tif 000013
【図１３】
0005621057.tif 000014
【図１４】
0005621057.tif 000015
【図１５】
0005621057.tif 000016
【図１６】
0005621057.tif 000017
【図１７】
0005621057.tif 000018
【図１８】
0005621057.tif 000019
【図１９】
0005621057.tif 000020
【図２０】
0005621057.tif 000021
【図２１】
0005621057.tif 000022
【図２２】
0005621057.tif 000023
【図２３】
0005621057.tif 000024
【図２４】
0005621057.tif 000025
【図２５】
0005621057.tif 000026
【図２６】
0005621057.tif 000027
【図２７】
0005621057.tif 000028
【図２８】
0005621057.tif 000029